(57)【特許請求の範囲】
【請求項１】
正面版部２と背面版部３を前後に対面して配置し、左右両端から全横幅の４分の１の位置において正面版部２と背面版部３をそれぞれ左側面版部４と右側面版部５によって連結し、左側面版部４の左側に上面と左側面及び下面において開口した左側空洞部６を形成し、右側面版部４の右側に上面と右側面及び下面において開口した右側空洞部７を形成し、左側面版部４と右側面版部５の間に上面と下面において開口した中間空洞部８を形成した擁壁ブロックにおいて、
左側面版部４と右側面版部５の延長線上において背面版部３の背面側上部に左右一対の上部連結アーム９，９を突出形成し、左側面版部４と右側面版部５の延長線上において背面版部３の背面側下部に左右一対の下部連結アーム１０，１０を突出形成し、各上部連結アーム９を各下部連結アーム１０よりも奥行き長く形成し、左側面版部４と右側面版部５の各下面前端部に下面ピン受孔１１を形成し、左側面版部４と右側面版部５の各上面中間部に上面ピン受孔１２を形成し、擁壁勾配に対応させて上面ピン受孔１２を下面ピン受孔１１よりも後方に位置させ、上部連結アーム９または下部連結アーム１０の一方に奥行き方向に長い奥長スロット１３を形成し、下部連結アーム１０または上部連結アーム９の他方に左右方向に長い横長スロット１４を形成し、擁壁勾配に対応させてス奥長ロット１３を横長スロット１４よりも後方に位置させ、
下位側の擁壁ブロック１の上面ピン受孔１２に連結ピン１５の下半分を挿入し、上位側の擁壁ブロック１の下面ピン受孔１１に連結ピン１５の上半分を挿入し、下位側の擁壁ブロック１の奥長スロット１３と上位側の擁壁ブロック１の横長スロット１４にボルト１６を嵌挿し、ボルト１６に嵌めたナット１７によって、下位側の擁壁ブロック１の上部連結アーム９と上位側の擁壁ブロック１の下部連結アーム１０を締付け固定するようにしたことを特徴とする擁壁ブロック。
【発明の詳細な説明】
【０００１】
【発明が属する技術分野】
本発明は、道路や宅地、公園などの傾斜地の土留め擁壁や緑化擁壁、海岸や湖沼、河川の護岸壁といった擁壁構造の構築に使用される擁壁ブロックに関するものである。
【０００２】
【従来の技術】
特許第３０７２９７８号公報に開示された連結ピンとボルト締付を利用して積上げる方式の擁壁ブロックでは、前後に対面して配置した正面版部と背面版部を左右両端から全横幅の４分の１の位置において上版部と下版部によって連結し、正面版部と背面版部及び上版部と下版部によって左側面，右側面、上面及び下面に開口した空洞部を形成し、正面版部の上下面にピン受孔を形成し、上版部の中間部に奥長スロットを奥行き方向に長く形成し、下版部の中間部に左右方向に長い横長スロットを形成してある。
【０００３】
擁壁ブロックの積上げに当たっては、下位側の擁壁ブロックの上面ピン受孔に連結ピンの下半分を挿入し、上位側の擁壁ブロックの下面ピン受孔に連結ピンの上半分を挿入し、下位側の擁壁ブロックの奥長スロットと上位側の擁壁ブロックの横長スロットにボルトを嵌挿し、ボルトに嵌めたナットによって、下位側の擁壁ブロックの上版部と上位側の擁壁ブロックの下版部を締付け固定している。
【０００４】
このように構成された従来の擁壁ブロックでは、ボルト嵌挿用の奥長スロットが上版部の中間部に形成され、ボルト嵌挿用の横長スロットが下版部の中間部に形成されているため、擁壁ブロックの積上げ作業に当たっては、作業員が上位側の擁壁ブロックの背面上方から前方に身を乗り出し、正面版部と背面版部及び上版部と下版部に囲まれた前記空洞部に腕を深く差し入れて、ボルトの嵌挿とナットの嵌め合わせと締付けを行なう必要があり、その作業姿勢に無理があるため、上下の擁壁ブロックの固定作業を作業能率良く行なうことができず、作業員の疲労負担も大きかった。
【０００５】
ボルト締め固定の作業を容易にするために背面版部に前後方向に開放された開口部を形成し、ボルト締め固定作業を該開口部を通して実行した後、該開口部を裏板部材で閉塞することも提案されているが、裏板の嵌め込み工程が付加されるため、作業能率がその分だけ悪くなるとともに、背面版部と裏板が強固に一体化されないので、擁壁の構造的強度の面で難点があった。
【０００６】
【発明が解決しようとする課題】
したがって本発明の課題は、ボルト締めによる上下の擁壁ブロックの固定作業を作業能率良く行なえ、作業員の疲労負担が大幅に軽減でき、締付け状態の目視確認が的確に行なえる擁壁ブロックを提供することである。
【０００７】
【課題を解決するための手段】
以下、添付図面中の参照符号を用いて説明すると、本発明の擁壁ブロックは、正面版部２と背面版部３を前後に対面して配置し、左右両端から全横幅の４分の１の位置において正面版部２と背面版部３をそれぞれ左側面版部４と右側面版部５によって連結し、左側面版部４の左側に上面と左側面及び下面において開口した左側空洞部６を形成し、右側面版部４の右側に上面と右側面及び下面において開口した右側空洞部７を形成し、左側面版部４と右側面版部５の間に上面と下面において開口した中間空洞部８を形成した擁壁ブロックにおいて、
左側面版部４と右側面版部５の延長線上において背面版部３の背面側上部に左右一対の上部連結アーム９，９を突出形成し、左側面版部４と右側面版部５の延長線上において背面版部３の背面側下部に左右一対の下部連結アーム１０，１０を突出形成し、各上部連結アーム９を各下部連結アーム１０よりも奥行き長く形成し、
左側面版部４と右側面版部５の各下面前端部に下面ピン受孔１１を形成し、左側面版部４と右側面版部５の各上面中間部に上面ピン受孔１２を形成し、擁壁勾配に対応させて上面ピン受孔１２を下面ピン受孔１１よりも後方に位置させ、上部連結アーム９または下部連結アーム１０の一方に奥行き方向に長い奥長スロット１３を形成し、下部連結アーム１０または上部連結アーム９の他方に左右方向に長い横長スロット１４を形成し、擁壁勾配に対応させて奥長スロット１３を横長スロット１４よりも後方に位置させ、
下位側の擁壁ブロック１の上面ピン受孔１２に連結ピン１５の下半分を挿入し、上位側の擁壁ブロック１の下面ピン受孔１１に連結ピン１５の上半分を挿入し、下位側の擁壁ブロック１の奥長スロット１３と上位側の擁壁ブロック１の横長スロット１４にボルト１６を嵌挿し、ボルト１６に嵌めたナット１７によって、下位側の擁壁ブロック１の上部連結アーム９と上位側の擁壁ブロック１の下部連結アーム１０を締付け固定するものである。
【０００８】
【発明の作用】
本発明の擁壁ブロックを使用して植生用擁壁を築造するには、図１２に示したように傾斜面を掘削してなる施工地盤１８に基礎ブロック１９を据付け固定し、基礎ブロック１９の前端部の上面ピン受孔２０に連結ピン１５の下半分を挿入する。この連結ピン１５の上半分に最下段の擁壁ブロック１の下面ピン受孔１１を挿入しながら、最下段の擁壁ブロック１を基礎ブロック１９の上面に積上げる。下部連結アーム１０の横長スロット１４と基礎ブロック１９の奥長スロット２１にボルト１６を嵌挿し、ボルト１６に嵌めたナット１７を締付けることによって、最下段の擁壁ブロック１を基礎ブロック１９に固定する。このボルト締めによる固定作業は、背面版部３の背面側の施工地盤１８の上に作業員が座るか立ったりして行なわれる。
【０００９】
左右横方向に複数個配置される最下段の擁壁ブロック１，１は、その正面版部２，２の左右端部を突き合わせた状態で基礎ブロック１９上に順次積上げ固定される。この積上げ固定の終了後、図１３に示したように左側空洞部６と右側空洞部７と中間空洞部８には植生用土壌２２が充填され、背面版部３と切削斜面との間の空所には背面土砂２３が埋め戻され、突き固められる。
【００１０】
２段目以降の擁壁ブロック１の積上げ固定は、下位側の擁壁ブロック１の上面ピン受孔１２に連結ピン１５の下半分を挿入し、上位側の擁壁ブロック１の下面ピン受孔１１に連結ピン１５の上半分を挿入し、下位側の擁壁ブロック１の奥長スロット１３と上位側の擁壁ブロック１の横長スロット１４にボルト１６を嵌挿し、ボルト１６に嵌めたナット１７によって、下位側の擁壁ブロック１の上部連結アーム９と上位側の擁壁ブロック１の下部連結アーム１０を締付けることによって順次行なわれる。
【００１１】
図１１に示したように２段目以降の擁壁ブロック１を積上げるときには、全横幅の４分の１の長さを単位として左右方向に交互に位置をずらして乱積み状態の施工が行なわれる。
１段づつ積上げ固定する毎に、図１３に示したように左側空洞部６と右側空洞部７と中間空洞部８には植生用土壌２２が充填され、背面版部３と切削斜面との間の空所には背面土砂２３が埋め戻されて突き固められる。
【００１２】
擁壁勾配に対応させて上面ピン受孔１２を下面ピン受孔１１よりも後方に位置させ、同じく擁壁勾配に対応させて奥長スロット１３を横長スロット１４よりも後方に位置させてあるので、左側空洞部６と右側空洞部７と中間空洞部８の各上面前方部分は開放されており、植生用土壌２２に定着させた植物２４は、前記開放空間から外部に露出することになる。
【００１３】
【発明の実施形態】
図示の実施例では、擁壁ブロック１の正面版部２は垂直に形成されており、背面版部３は下端部分以外の主体部分が正面版部２に対して背面側に傾斜している。奥長スロット１３は上部連結アーム９に形成され、横長スロット１４は下部連結アーム１０に形成されている。再上段の擁壁ブロック１の上には天端ブロック２５が横長スロット２６及び奥長スロット１３を通るボルト１６とナット１７によって締付け固定されている。
図示の実施例は植生用擁壁に適用したものであるが、植生用擁壁でないときには、左側空洞部６と右側空洞部７と中間空洞部８には、胴込めコンクリートが打設されたり、砕石等の中込め材料が充填される。
【００１４】
正面版部２の左右端部の水平断面形状は、図示の実施例では段丘状に形成したが、半円形状の凹部や凸部等に形成することもできる。擁壁ブロックの適用対象は、道路や傾斜地の擁壁に限定されるものではなく、他の公知の擁壁構造にも構成要素として有効に使用される。
また、上下の擁壁ブロック１，１の正面版部２，２が垂直方向に整列した整然積みの施工形態だけでなく、全横幅の４分の１を単位として左右方向にずれて配置される乱積みの施工形態でも使用できる。
【００１５】
左右の擁壁ブロック１，１の正面版部２，２が同一直線状に配列された通常の直線状の施工形態だけでなく、左右の擁壁ブロック１，１の正面版部２，２がカーブしている道路や土地の平面輪郭線に対応させて、凸面状または凹面状に配列される施工形態でも使用することができる。
いずれの施工形態においても、上下の擁壁ブロック１，１間の配列位置の調整は、奥長スロット１３及び横長スロット１４とボルト１６の軸部直径との間に存在する遊び寸法を利用して行なわれる。
【００１６】
【発明の効果】
左側面版部４と右側面版部５の延長線上において背面版部３の背面側上部に左右一対の上部連結アーム９，９を突出形成し、左側面版部４と右側面版部５の延長線上において背面版部３の背面側下部に左右一対の下部連結アーム１０，１０を突出形成し、各上部連結アーム９を各下部連結アーム１０よりも奥行き長く形成し、上部連結アーム９に形成した奥行き方向に長い奥長スロット１３を擁壁勾配に対応させて、下部連結アーム１０に形成した左右方向に長い横長スロット１４よりも後方に位置させているから、ボルト締め固定は左側空洞部６、右側空洞部７および中間空洞部８のいずれもの外部においてなされるものであり、積上げ作業を担当する作業員は、擁壁ブロックの背面側の施工地盤や掘削地盤上に埋め戻された背面土砂の上面に座るか立つことによって、背面側に突き出している上部連結アーム９の奥長スロット１３と下部連結アーム１０の横長スロット１４に対して楽な姿勢でアクセスすることができ、奥長スロット１３と横長スロット１４へのボルト１６の嵌挿操作と、ボルト１６へのナット１７の嵌め合わせと締付け操作を迅速かつ的確に行なえることになり、擁壁ブロックの積上げ固定作業を能率良く行なえ、作業員の疲労負担が大幅に軽減できる。
【００１７】
また、このようにボルト締め固定は左側空洞部６、右側空洞部７および中間空洞部８の外部において実行され、ボルト１６とナット１７の締付け状態を作業員が当該箇所に最も接近した位置において直接に目視確認できるため、締付け不足や緩みのない固定作業を確実かつ迅速に行なうことができる。
【００１８】
上下の擁壁ブロック１，１のボルト締め固定は、背面版部３の背面側に突出している上部連結アーム９と下部連結アーム１０の奥長スロット１３と横長スロット１４にボルト１６を嵌挿して行われているため、擁壁の背面土圧の水平分力が背面版部３に作用しても、上下擁壁ブロック１，１間の接合界面部が開離することがなく、堅固な擁壁構造を築造することができる。
【００１９】
背面版部の開口部を裏板で閉塞するようにした従来の擁壁ブロックと比較して、背面版部３は全面にわたって一体部材に形成されているため、積上げ作業の全体の作業性が良いとともに、構造的強度において強い擁壁構造が築造できる。
【図面の簡単な説明】
【図１】本発明の一実施例である擁壁ブロックの正面図である。
【図２】図１の擁壁ブロックの左側面図である。
【図３】図１の擁壁ブロックの背面図である。
【図４】図１の擁壁ブロックの右側面図である。
【図５】図１の擁壁ブロックの平面図である。
【図６】図１の擁壁ブロックの底面図である。
【図７】図１のＡ−Ａ線断面図である。
【図８】図１のＢ−Ｂ線断面図である。
【図９】図１のＣ−Ｃ線断面図である。
【図１０】図５のＤ−Ｄ線断面図である。
【図１１】図１の擁壁ブロックの積上げ状態の正面図である。
【図１２】図１１の擁壁ブロックの左右側面版部における縦断面図である。
【図１３】図１１の擁壁ブロックの空洞部における縦断面図である。
【符号の説明】
１  擁壁ブロック
２  正面版部
３  背面版部
４  左側面版部
５  右側面版部
６  左側空洞部
７  右側空洞部
８  中間空洞部
９  上部連結アーム
１０  下部連結アーム
１１  下面ピン受孔
１２  上面ピン受孔
１３  奥長スロット
１４  横長スロット
１５  連結ピン
１６  ボルト
１７  ナット
１８  施工地盤
１９  基礎ブロック
２０  上面ピン受孔
２１  奥長スロット
２２  植生用土壌
２３  背面土砂
２４  植物
２５  天端ブロック
２６  横長スロット
【図１】
0003621939.tif 000002
【図２】
0003621939.tif 000003
【図３】
0003621939.tif 000004
【図４】
0003621939.tif 000005
【図５】
0003621939.tif 000006
【図６】
0003621939.tif 000007
【図７】
0003621939.tif 000008
【図８】
0003621939.tif 000009
【図９】
0003621939.tif 000010
【図１０】
0003621939.tif 000011
【図１１】
0003621939.tif 000012
【図１２】
0003621939.tif 000013
【図１３】
0003621939.tif 000014